(57)【要約】【課題】  誰でも簡単に屋根体の取り外しが可能で、且つ、屋根体の部分を持って持ち上げても戒名板収納体から下部が簡単に外れることがなく、且つ、複数枚数の戒名が収納可能な繰り出し位牌を開発・提供する事にある。【解決手段】  基台上に左右両側面部及び背面部と前面上端局部の四面に壁板を設け、且つ、壁板の前面ほぼ全体に左右観音開き状に開閉可能な開閉扉を配設した戒名板収納体を設け、且つ、該戒名板収納体の上端部及び屋根体の下端部に左右対称テーパー形状の摺動勘合部を設けて屋根体を戒名板収納体の前面方向から後方へ向けて平行に差込み挿設し、且つ、該戒名板収納体の中央後部下に抜け落ち防止用ストッパーを設けて固着可能にし、且つ、該屋根体を戒名板収納体から取り外し、戒名板収納体の上部から下方向へ向けて収納可能な複数枚の戒名板から成るものである。【選択図】  図２
0003101778.tif 000002
【実用新案登録請求の範囲】
【請求項１】
基台（１）と、戒名板収納体（２）と、屋根体（３）と、戒名板（４）で成る繰り出し位牌において、基台（１）上に左右両側面部及び背面部と前面上端局部の四面に壁板（２ｃ）（２ｃ’）（２ｄ）（２ｅ）を設け、且つ、該壁板の前面ほぼ全体に左右観音開き状に開閉可能な施錠用ストッパー（２ｇ）付開閉扉（２ｂ）（２ｂ’）を配設した戒名板収納体（２）を設け、且つ、該戒名板収納体（２）の上端部及び屋根体（３）の下端部に、上方に進むに従って拡開する左右対称テーパー形状の摺動勘合部（２ａ）（２ａ’）（３ａ）（３ａ’）を設けて屋根体（３）を戒名板収納体（２）の前面方向から後方へ向けて平行に差込み挿設し、且つ、該戒名板収納体（２）の中央後部下に抜け落ち防止用ストッパー（３ｂ）を設けて固着可能にし、且つ、該屋根体（３）を戒名板収納体（２）から取り外し、戒名板収納体（２）の上部から下方向へ向けて収納可能な複数枚の戒名板（４）から成る事を特徴とする繰り出し位牌。
【考案の詳細な説明】
【技術分野】
【０００１】
この考案は、複数枚の戒名が収納可能な繰り出し位牌に関するものである。
【背景技術】
【０００２】
従来の繰り出し位牌は、基台上に戒名板を収納する箱状の戒名板収納体の前面部に左右観音開き状に開閉可能な開閉扉を設け、且つ、上部に臍等の連結部材で結合した着脱自在な屋根体を設け、且つ、該戒名板収納体内部に複数枚数の戒名を収納して構成されている。（例えば、特許文献１参照。）
【特許文献１】実公昭４９−１４５５６
【０００３】
上記の繰り出し位牌は、屋根体と戒名板収納体の連結部材に臍等で固着していた為、新品時には、連結部が固くて取り外しが困難で、逆に繰り返し使用している間に勘合部にガタツキが生じて、屋根体を持って持ち上げる毎に、戒名板収納体から下部が外れる等の不具合や、修理の為に部品を交換すると余分な経費が掛かる等の問題があった。
【０００４】
又、埃等を被って汚れた際には掃除をする必要があるが、屋根体を分解した際に部品を紛失し易い等の問題があった。
【考案の開示】
【考案が解決しようとする課題】
【０００５】
そこで、この考案は上記課題を達成する為に、誰でも簡単に屋根体の取り外しが可能で、且つ、屋根体の部分を持って持ち上げても戒名板収納体から下部が簡単に外れることがなく、且つ、複数枚数の戒名が収納可能な繰り出し位牌を開発・提供する事にある。
【課題を解決するための手段】
【０００６】
この課題を解決する為の手段として、この考案は基台上に左右両側面部及び背面部と前面上端局部の四面に壁板を設け、且つ、壁板の前面ほぼ全体に左右観音開き状に開閉可能な開閉扉を配設した戒名板収納体を設け、且つ、該戒名板収納体の上端部及び屋根体の下端部に上方に進むに従って拡開する左右対称テーパー形状の摺動勘合部を設けて屋根体を戒名板収納体の前面方向から後方へ向けて平行に差込み挿設し、且つ、該戒名板収納体の中央後部下に抜け落ち防止用ストッパーを設けて固着可能にし、且つ、該屋根体を戒名板収納体から取り外し、戒名板収納体の上部から下方向へ向けて収納可能な複数枚の戒名板から成るものである。
【考案の効果】
【０００７】
戒名板収納体の上端部及び屋根体の下端部に左右対称テーパー形状の摺動勘合部を設けて屋根体を戒名板収納体の前面方向から後方へ向けて平行に差込み挿設し、且つ、該戒名板収納体の中央後部下に抜け落ち防止用ストッパーを設けて固着可能にする事で、誰でも簡単に屋根体の取り外しが可能で、且つ、屋根体の部分を持って持ち上げても戒名板収納体から下部は簡単に外れることがない。
【０００８】
又、上記の抜け落ち防止用ストッパーはビス止め等の固着手段の為、部品を分解する必要がない為、部品を紛失する等の心配が無く、経費節減になる。
【考案を実施するための最良の形態】
【０００９】
そこで、この考案の最良の形態は、戒名板収納体前部に取り付けた観音扉の開閉用丁番と止め金具の材質を錆等に強いステンレス製にする事が望ましいがコスト等の問題も有り、総合的な検討が必要である。
【実施例１】
【００１０】
そこで、この考案の一実施例を図１〜図４に従って詳述すると、基台（１）上に左右両側面部及び背面部と前面上端局部の四面に壁板（２ｃ）（２ｃ’）（２ｄ）（２ｅ）を設け、且つ、該壁板の前面ほぼ全体に左右観音開き状に開閉可能な施錠用ストッパー（２ｇ）付開閉扉（２ｂ）（２ｂ’）を配設した戒名板収納体（２）を設け、且つ、該戒名板収納体（２）の上端部及び屋根体（３）の下端部に、上方に進むに従って拡開する左右対称テーパー形状の摺動勘合部（２ａ）（２ａ’）（３ａ）（３ａ’）を設けて屋根体（３）を戒名板収納体（２）の前面方向から後方へ向けて平行に差込み挿設し、且つ、該戒名板収納体（２）の中央後部下に抜け落ち防止用ストッパー（３ｂ）を設けて固着可能にし、且つ、該屋根体（３）を戒名板収納体（２）から取り外し、戒名板収納体（２）の上部から下方向へ向けて収納可能な複数枚の戒名板（４）から成る事を特徴とする繰り出し位牌から構成される。
【００１１】
次に、この考案の主な部品構成と機能及び詳細寸法・材質等について説明すると、上記に示す様に、基台（１）と、戒名板収納体（２）と、屋根体（３）と、複数枚の戒名板（４）とで構成され、基台（１）は文字通り位牌全体を安定させる為の脚部に相当するもので、横幅は他の部分に比較し若干広めに形成されている。
【００１２】
又、中程の戒名板収納体（２）は、戒名板を収納するもので板厚寸法２．５ｍｍ、全幅寸法３７．５ｍｍ、全高寸法９１ｍｍの戒名板（４）が１０枚収納可能な大きさで形成されている。又、戒名板（４）の材質は木製が９枚と黒色の樹脂製が１枚収納されている。
【００１３】
又、戒名板収納体（２）の前面部には丁番（２ｆ）を４箇所設け、左右観音開き状に開閉可能な開閉扉（２ｂ）（２ｂ’）を配設し、中央部には施錠用のストッパー（２ｇ）が設けられ上下移動させる事で扉の開閉が出来る様に成っている。
【００１４】
そして、屋根体（３）の取り付け方法は、図２及び図４に示す様に、誰でも簡単に取り外し出来る様に、戒名板収納体（２）の上端部及び屋根体（３）の下端部に上方に進むに従って拡開する左右対称テーパー形状の摺動勘合部（２ａ）（２ａ’）（３ａ）（３ａ’）を設けて、前後方向にスライドさせて取り付け又は取り外しが出来る構造になっていて、屋根体（３）の固定方法はストッパー（３ｂ）を下向き（閉側）にして固定し、取り外す時は横向き（開側）にして手前に抜き取る。
【００１５】
又、繰り出し位牌を移動する際に屋根体（３）の上部中央にある取手（３ｃ）を持って移動させても、連結部（摺動勘合部）が上方に進むに従って拡開するテーパー形状に形成されている為、外れて落下する等の心配はない。
【産業上の利用可能性】
【００１６】
この考案の繰り出し位牌は、戒名板収納体の上端部及び屋根体の下端部に上方に進むに従って拡開する左右対称テーパー形状の摺動勘合部を設けて屋根体を戒名板収納体の前面方向から後方へ向けて平行に差込み挿設し、且つ、該戒名板収納体の中央後部下に抜け落ち防止用ストッパーを設けて固着可能にする事で、誰でも簡単に屋根体の取り外しが可能で、且つ、屋根体の部分を持って持ち上げても戒名板収納体から下部は簡単に外れることがない為、安心して使用出来る等極めて有益なる効果を奏する点で産業上の利用可能性を有する。
【図面の簡単な説明】
【００１７】
【図１】この考案の一実施例を示し、正面図である。
【図２】この考案の一実施例を示し、一部欠截背面図である。
【図３】この考案の一実施例を示し、左側面図である。
【図４】この考案の一実施例を示し、一部欠截左側面図である。
【符号の説明】
【００１８】
１  基台
２  戒名板収納体
２ａ  摺動勘合部
２ａ’  摺動勘合部
２ｂ  開閉扉
２ｂ’  開閉扉
２ｃ  壁板
２ｃ’  壁板
２ｄ  壁板
２ｅ  壁板
２ｆ  丁番
２ｇ  ストッパー
３  屋根体
３ａ  摺動勘合部
３ａ’  摺動勘合部
３ｂ  ストッパー
３ｃ  取手
４  戒名板
【図１】
0003101778.tif 000003
【図２】
0003101778.tif 000004
【図３】
0003101778.tif 000005
【図４】
0003101778.tif 000006